(57)【要約】【課題】開口部を覆う部材を内蔵し、かつその部材を回動方式で開閉する方式において、開口部を中シェルとシャッタの２点構成で達成する【解決手段】回動自在に支持された中シェルと中シェルに連動しスライド自在に支持されたシャッタで構成し、中シェルはディスクの外周部を含む開口部を、シャッタはディスク回転中心部を含む開口部を覆うように構成した【選択図】　図１
2004086964.tif 000002
【特許請求の範囲】
【請求項１】
内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆い前記中シェルが前記ディスク外周端部を含む開口部を覆うよう構成したディスクカートリッジ
【請求項２】
内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆い前記中シェルが前記ディスク外周端部を含む開口部を覆う開口部閉モードと、前記シャッタが前記上シェルの側面部と背面部に近接した位置に退避して前記開口部を開放する開口部開モードとを有するディスクカートリッジ
【請求項３】
内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆う開口部閉モードと、前記シャッタが前記上シェルの側面部と背面部に近接した位置に退避して前記開口部を開放する開口部開モードとを可逆的に移動可能で、かつ前記開口部閉モードと前記開口部開モードで前記シャッタが前記ディスクの回転軸に対して同一姿勢であることを特徴とするディスクカートリッジ
【発明の詳細な説明】
【０００１】
【発明の属する技術分野】
本発明はディスク状記録媒体を保護して取り扱いを容易にするためのディスクカートリッジに関するものである。
【０００２】
【従来の技術】
近年、大容量の書き換え型光ディスクが登場し、ＰＣ用バックアップメディアやビデオレコーダ等の用途で急速に普及が進んでいる。しかしながらこのような高密度記録を行う光ディスクシステムでは、ディスクの記録面に付着したダストや指紋の影響が無視できず、正常な記録再生の妨げとなる。そのため書き換え型光ディスクは、通常ユーザに直接触られることのできないよう密閉構造をとったディスクカートリッジに格納されているものが多い。
【０００３】
このようなディスクカートリッジの一例として、特開２００１−３３２０５４号公報がある。以下、従来の技術の構成を説明するが、従来の技術の欄及び発明が解決しようとする課題の欄で説明する従来例に関して用いる図面番号及び符号は、特開２００１−３３２０５４号公報に２０に示すように、一対の上シェル１３、中シェル１４及び下シェル１５を重ね合わせることによって形成されるカートリッジ筐体１２と、このカートリッジ筐体１２内に形成されたディスク収納室１６内に回転自在に収納される光ディスク１１中シェル１４及び下シェル１５に形成された開口部２５、４２を開閉する一対のシャッタ部材１８ａ、１８ｂ等を備えて構成されている。下シェル１５上シェル１３に形成された上下の凹陥部１９ａ、１９ｂからなる円形の空間部内に中シェル１４が回転自在に収納されている。この下シェル１５の中央部には、前後方向に延在された開口部２５が設けられている。この開口部２５は、ディスク回転駆動機構のターンテーブルと光学ピックアップ装置の光学ヘッドを光ディスク１１に臨ませるためのもので、これらが自由に出入りできる広さに設定されている。
【０００４】
すなわち下シェル１５の開口部２５は、ターンテーブルが出し入れされる中央部に設定されたテーブル用開口部２５ａと、このテーブル用開口部２５ａの前後方向両側に延在されたヘッド用開口部２５ｂを有している。このような構成を有する上シェル１３と下シェル１５に中シェル１４が収納され、この中シェル１４と上シェル１３によって円形の空間部からなるディスク収納室１６内に光ディスク１１が半径方向に所定のすきまを持たせて収納されている。この光ディスク１１は、中央部にセンター穴１１ａが設けられた厚みの薄い円板状の記録部材からなる。
【０００５】
また上下シェル１３、１５の一方の側縁部１３ｂ、１５ｂの略中央部には中シェル１４外周面の一部を露出させるための開口部３０が設けられている。中シェル１４は円盤状の薄い板材からなる平面部４０と、この平面部４０の外周縁に連続して設けられたリング部４１とを有している。さらに中シェル１４の平面部４０には一対のシャッタ部材１８ａ、１８ｂを平面方向へ回動自在に支持するための一対の支持穴４９、４９が設けられている。この一対の支持穴４９、４９を介して中シェル１４に取り付けられるシャッタ機構１８は、２枚で一対のシャッタ部材１８ａ、１８ｂによって構成されている。このシャッタ部材１８ａ、１８ｂの一端部には軸部５２がそれぞれ設けられている。この軸部４２を中シェル１４の平面部４０の支持穴４９にかん合させることにより、各シャッタ部材１８ａ、１８ｂが中シェル１４にそれぞれ回動自在に取り付けられる。さらにシャッタ部材１８ａ、１８ｂには開閉溝５３がそれぞれ設けられている。各開閉溝５３には下シェル１５の操作凸部２７ａ、２７ｂ摺動可能に係合されている。
【０００６】
【発明が解決しようとする課題】
ここに示す特開２００１−３３２０５４号のディスクカートリッジは、外径が１２０ｍｍのディスクを想定している。ゆえに下シェル１５に構成された開口部３０は、両端部に延伸したために大きな面積を有しているが、その開口部３０の幅は、下シェル１５全体の幅の１／３もしくはそれ以下という設定である。ゆえに図２０の破線で示すように開口部３０を主として覆うシャッタ部材１８ａ、１８ｂを開口部３０の側方部に退避させ得るに充分な大きさが存在する。
【０００７】
この開口部３０が、上下シェル１３、１５に比べ相対的に大きい場合は、ここに示す様な構成をとることは不可能である。例えば、ここに示す外径１２０ｍｍのディスクと同一フォーマットで規定された外径８０ｍｍのディスクを想定すると、その問題はクリアになる。開口部の幅は互換性の観点からここに示す特開２００１−３３２０５４号と同じで、上下シェルの幅は、ディスクが小径である分小さくなる。このような条件下では、ここに示す特開２００１−３３２０５４号の２枚のシャッタを収納するに充分な空間は存在しない。そのために、小径のディスクへの適用は不可能である。
【０００８】
また、特開２００１−３３２０５４号の構成では、光ディスクの下面に中シェル、２枚のシャッタ、さらに下シェルという重層構成となっているために、厚さも厚くなり、小型化薄型化を要求される小径ディスクへの応用を難しくさせている。またこの重層構造は、部品点数が多いという問題点も有する
【０００９】
【課題を解決するための手段】
上記目的を達成するために本発明に係るディスクカートリッジは、内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆い前記中シェルが前記ディスク外周端部を含む開口部を覆うよう構成したものである。
【００１０】
かかる構成により開口部は、シャッタと中シェルという２つの移動体のみで開口部を覆い、また開放させるべく開口部領域から退避させることができる。この結果部品点数を削減して、薄型化も促進できる。
【００１１】
また内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆い前記中シェルが前記ディスク外周端部を含む開口部を覆う開口部閉モードと、前記シャッタが前記上シェルの側面部と背面部に近接した位置に退避して前記開口部を開放する開口部開モードとを有することを特徴とするものである。
【００１２】
かかる構成により、その開口部の特にディスク回転中心部を覆うシャッタを上シェルの側面部と背面部に近接した位置に移動させることで、充分に大きな平面部を有するシャッタとすることができ、上下シェルの幅に対して大きな開口部を有するディスクカートリッジであっても結果シャッタと中シェルの２つ移動体のみで大きな開口部を覆うことができる。
【００１３】
また内蔵するディスクの回転中心を中心とした略半円形の曲線で構成された前面部と直線的に構成された側面部と背面部からなる上シェルと、内蔵するディスクの回転中心部から前記上シェルの前面部側のディスクの外周端部まで連通して形成され開口部を有する下シェルと、前記上シェル下シェルに回動自在に支持された中シェルと、前記上シェルと前記中シェル間に回転自在に支持されたディスクと、前記中シェルに一端を回動自在に支持されると共に、他端を前記下シェルに形成されたガイド溝に摺動案内されるシャッタからなるディスクカートリッジであり、前記シャッタが前記ディスク回転中心部を含む開口部を覆う開口部閉モードと、前記シャッタが前記上シェルの側面部と背面部に近接した位置に退避して前記開口部を開放する開口部開モードとを可逆的に移動可能で、かつ前記開口部閉モードと前記開口部開モードで前記シャッタが前記ディスクの回転軸に対して同一姿勢であることを特徴とするものである。
【００１４】
かかる構成により、駆動源である中シェルに対しては回動自在に支持されながら、下シェルに対しては開モード、閉モードで相対的に回動せずに同一姿勢が保持されているので、回動による無駄な空間が生ぜず、全体として小型化が必要なシステムにおいてより大きな平面部を有するシャッタとすることができる。結果、小型なディスクカートリッジでより大きな開口部を構成することができる。
【００１５】
【発明の実施の形態】
以下、本発明の実施の形態１について図面を用いて説明する。図１〜図４は、一般的に装置外に取り出された状態のディスクカートリッジの外観を示す。図５〜図６は、一般的に装置に挿入され記録もしくは再生を行う時の状態で開口部を開放し内蔵するディスクを露出させた時の外観を示す。図７〜図１２は、ディスクカートリッジを構成する各パーツの形状を示す。
【００１６】
ここに示すディスクカートリッジ６は、ディスク状記録媒体としてオーディオ情報としての音楽信号やビデオ情報としての映像信号及び音楽信号などの各種の情報信号が記録された、もしくは記録可能な光ディスク５を収納したものである。このディスクカートリッジ６は、図１５に示す様に上シェル２と下シェル１とを重ね合わせることによって形成されるカートリッジ筐体７とこのカートリッジ筐体７内に形成された空間に回転自在に支持される光ディスク５と、上シェル２下シェル１で形成された開口部８を開閉する中シェル３とシャッタ４等を備えて構成される。
【００１７】
下シェル１も上シェル２も図２に示す如くほぼ同一形状同一サイズのものである。図７に示す上シェル２、図８に示す下シェル１は、略半円径の曲線部１ａ、２ａと直線的な形状である左右の側面部１ｂ、１ｃ、２ｂ、２ｃ及び曲線部１ａ、２ａに対峙した背面部１ｄ、２ｄと上シェル２の天面部２ｇ下シェル１の底面部１ｇから構成される。上シェル２と下シェル１は、合わせ面１ｅと２ｅを重ね合わせて、ネジ等の締結部品で固定するが、図ではその点は省略をしている。上シェル２は、円形の窪み２ｆが構成されているが、この窪み２ｆに中シェル３のリング部３ａが回動自在に支持される。その中シェル３は、図９及び図１０に示す様な形状をなし、平面部３ｃが設けられている。平面部３ｃの裏面は、遮蔽部３ｇとその遮蔽部３ｇより低くなった平面である重合部３ｆという構成となっている。またその重合部３ｆの一端にはシャッタ軸３ｅが、他端には図１４の拡大図に示すコ字の外方に開放した爪部３ｄが構成されている。シャッタ軸３ｅには、図１１に示すシャッタ４の軸受け４ａが係合しているので、シャッタ４は中シェル３に対して回動自在に支持されている。この軸受け４ａの存在する面である軸受け面部４ｂは、ディスク面部４ｃに対して一段低い平面構成となっている。図１２の裏面は図１１に示す様に単一の平面からなる封止面４ｄとなっている。この封止面４ｄにはガイド軸４ｅが形成されている。ガイド軸４ｄは、図８に示す下シェル１の直線状のガイド溝１ｆに係合する。このガイド溝１ｆは、下シェル１のディスク収納面１ｇに形成されているが、貫通した孔ではなく、窪みとなっている。下シェル１には、開口部８が形成されている。この開口部８は、ディスク回転駆動機構のターンテーブルと光学ピックアップ装置の光学ヘッドを光ディスク５に臨ませるもので、これらが自由に出入りできる広さに設定されている。それはターンテーブルが出し入れされる中央部に設けられたテーブル用開口部１ｈと、光学ヘッドが出し入れされる曲線部１ａに延伸したヘッド用開口部１ｊで構成されている。
【００１８】
また、一方の側面部１ｂと背面部１ｄに近接した位置には、シャッタ収納部１ｋが構成されている。図１５は、ディスクカートリッジ６の全体構成を分解斜視図で示したものである。下シェル１のディスク収納面１ｇには、シャッタ４と中シェル３が収納され、さらに光ディスク５が半径方向及び厚さ方向に所定の隙間を持って収納されている。ディスク５は回転中心部にセンタ孔５ａが設けられた厚みの薄い円板状の記録部材からなる。図示はしていないが、この光ディスク５のセンタ孔５ａには特開２００１−３３２０５４号公報に説明されているセンタハブが固着されている。このセンタハブは磁性材料で構成されているので、記録再生装置のターンテーブルに設けられたマグネットの磁力により吸着される。また同時にターンテーブルがセンタ孔５ａに勘合されるので、光ディスク５がターンテーブルにチャッキングされて回転方向に一体化され、ターンテーブルが取り付けられるスピンドルモータの駆動により所定速度で回転させられる。
【００１９】
中シェル３の爪部３ｄは下シェル１の開口部８に露出するように構成されている。また図には示していないが、中シェル３を回動方向で開口部８を覆う位置にロックするロック部材を設けられているので、外部から不用意に中シェル３を開放させることはできない。
【００２０】
図２は、ディスクカートリッジ６が記録再生装置に装着される前の状態で上シェル２の表面から見た図である。この時の下シェル１側から見た図が図４である。下シェル１の開口部８は、中シェル３の遮蔽部３ｇとシャッタ４の封止面４ｄが位置し、開口部８全体を覆っている。この状態で上シェル２と光ディスク５を取り除き、上シェル２側から見たものが、図１である。中シェル３は、下シェル１および上シェル２にリング部３ｄが支持された状態で最も反時計方向に回動した状態で、図示しないロック部材により下シェル１に位置決めされている。このときに、中シェル３の爪部３ｄは開口部８の最も左端に位置している。シャッタ軸３ｅには、シャッタ４の軸受け４ａが係合し、ガイド軸４ｅは下シェル１のガイド溝１ｆに係合している。よってシャッタ４は図１に示す様に開口部８の主にテーブル用開口部１ｈを覆っている。また中シェル３はディスク５の外周端部を含む開口部８の主にヘッド用開口部１ｊを覆う。この状態で、シャッタ４の外形形状である４ｆ、４ｇ、４ｈは、破線で示す開口部８の外壁ライン８ａ、８ｂ、８ｃよりも少許大きなサイズとなるように、その形状を定めている。図１３にシャッタ４と中シェル３の関係を斜視図で示しているが、中シェル３の重合部３ｆの厚さは、遮蔽部３ｇの厚さの１／２となっている。同様にシャッタ４の軸受け面部４ｂの厚さもまたディスク面部４ｃの厚さの１／２となっている。さらに遮蔽部３ｇとディスク面部４ｃの厚さは同一厚さに構成しているので、シャッタ４の軸受け面部４ｂと中シェル３の重合部３ｆが重ねあわせると、シャッタ４の封止面４ｄと遮蔽部３ｇは同一平面となる。同様にシャッタ４のディスク面部４ｃと中シェル３の平面部３ｃもまた同一平面となる。よって、図１のＡ−Ａ断面である図１６及びＢ部の部分拡大図である図１７に示すような構成となる。図１６、図１７でわかるように、開口部８は、下シェル１と中シェル３及びシャッタ４によって完全に覆われており、外部から塵やゴミが進入することはできない。
【００２１】
このようなディスクカートリッジ６が記録再生装置に挿入することにより装置に設けられている中シェル開閉機構によって図示しないロック部材によるロック状態が解除されその後、中シェル３及びそれに連動するシャッタ４が開放され、開口部８が開放される。開放された開口部８内にディスク回転駆動装置のターンテーブルと光学ピックアップ装置の光学ヘッドとが入り込む。そしてターンテーブルが光ディスク５のセンタ孔５ａに係合し、ターンテーブルに内蔵されているマグネットによってセンタハブを吸着して保持する。また光学ヘッドが光ディスク５に接近し光ディスク５に対する情報信号の記録及び再生操作が可能となる。
【００２２】
ディスクカートリッジ６を記録再生装置のカートリッジ挿入口に挿入すると、図示しない中シェル開閉部材が中シェル３の爪部３ｄのコの字状の係合部３ｈ（図１４）に係合し、中シェル３を時計方向（図１のＣ方向）に回動させる。略５５度回動させた状態で、中シェル開閉部材は停止する。その結果図６に示す様に中シェル３の平面部３ｃは完全に下シェル１の開口部８（１ｈ、１ｊ）から平面的に離間する。またそれに伴って中シェル３に回動自在に支持されたシャッタ４は、ガイド溝１ｆに沿ってＤ方向にスライドして下シェル１の一方の側面部１ｂと背面部１ｄに近接した位置に設けられたシャッタ収納部１ｋに移動させられ、ディスク面部４ｃもまた開口部８から離間する。結果開口部８は、開口部開モードとなり、完全に開放されターンテーブルと光学ヘッドが挿入可能となる。この図６と図１で中シェル３は５５度回動しているが、シャッタ４は位置座標は変化しているが、平行移動しているだけでＺ軸（ディスク５の回転軸）での回転は発生していない。これは、開口部８のテーブル用開口部１ｈを覆うシャッタ４をその開口部から離間させるに最も効果的な広さを有するのがディスク５の回転中心５ｂと下シェル１の側面部１ｂと背面部１ｄが交わる角部１ｍを結ぶラインＥ方向であるからである。そのＥ方向にシャッタを移動させることと、シャッタ４の外形形状の４ｆを側面部１ｂに平行な状態で収納することが最も有効な収納になるからである。つまり図１で側面部１ｂに平行な４ｆをそのまま回転させずにほぼＥ方向に平行移動させることが広い平面のディスク面部４ｃを開口部８から離間させる場合に最も小さいサイズのディスクカートリッジ６を構成することができる条件となるからである。図５にディスクカートリッジ６の下シェル１の底面部１ｇからの斜視図を示す。開口部が開放されディスク５およびそのセンタ孔５ａが露出している。
【００２３】
記録再生装置のディスクカートリッジ６取り出し指令により、ディスクカートリッジ６が記録再生装置から排出される。このときに、その動きに連動して中シェル開閉部材が中シェル３を矢印Ｃ方向とは逆方向の反時計方向に５５度回動させる。中シェル３は、５５度回動し、それに連れてシャッタ４もガイド溝１ｆに沿って矢印Ｄとは反対方向にスライドする。結果図１に示す様にシャッタ４と中シェル３は開口部８を覆った開口部閉モードとなる。
【００２４】
【発明の効果】
以上のように、請求項１に記載の本発明によれば、開口部を遮蔽する部材を上下シェル内に内蔵させた構造という、より密閉構造に優れ、さらに回動方式の開閉という強度的にも有利な方式でありながら開口部を回動自在に支持された中シェルとそれに連動したシャッタというわずか２つの部品構成で開口部を覆う機構を構成することができる。これは、回動自在に支持された移動量を大きくとれる中シェルがディスク外周端部を含む開口部であるヘッド用開口部を覆い、中シェルに連動して移動するシャッタがディスクの回転中心部のテーブル用開口部を覆うよう構成し、中シェルは回動させ、シャッタは中シェルに連動してスライドする方式としたためである。
【００２５】
請求項２に記載の本発明によれば、ディスクカートリッジがその平面的なサイズに比して大きな開口部を有する仕様であっても、開口部を遮蔽する部材を内蔵する方式で回動方式での開閉が可能な構成を中シェルとシャッタというわずか２つの部品で構成が可能である。これはテーブル用開口部を覆うシャッタをディスクカートリッジで最も広い空間を有する側面部と背面部に近接した位置に移動させる方式としたためである。
【００２６】
請求項３に記載の本発明によれば、ディスクカートリッジがその平面的なサイズに比して大きな開口部であり、ヘッド用開口部の外壁がディスクカートリッジの側面部と平行な仕様のディスクカートリッジでわずか２つの部品で開口部を開閉することが可能となる。これは、テーブル用開口部を覆うシャッタをディスクカートリッジで最も広い空間を有する側面部と背面部に近接した位置に移動させかつ、シャッタを開口部を覆った状態と開放した状態でディスクの回転軸に対して相対的に回動させず、同一姿勢に保持しているために、開口部のヘッド用開口部外壁を覆うシャッタをディスクカートリッジの側面部に最も近接して配置できるからである。その結果最もシャッタを効率よく収納することができる。
【図面の簡単な説明】
【図１】本発明のディスクカートリッジの密閉状態での平面図
【図２】本発明のディスクカートリッジの密閉状態での上方からの斜視図
【図３】本発明のディスクカートリッジの密閉状態での底面図
【図４】本発明のディスクカートリッジの密閉状態での下面からの斜視図
【図５】本発明のディスクカートリッジの開放状態での下面からの斜視図
【図６】本発明のディスクカートリッジの開放状態での平面図
【図７】本発明のディスクカートリッジの上シェルの裏面からの斜視図
【図８】本発明のディスクカートリッジの下シェルの上面からの斜視図
【図９】本発明のディスクカートリッジの中シェルの上面からの斜視図
【図１０】本発明のディスクカートリッジの中シェルの下面からの斜視図
【図１１】本発明のディスクカートリッジのシャッタの下面からの斜視図
【図１２】本発明のディスクカートリッジのシャッタの上面からの斜視図
【図１３】本発明のディスクカートリッジの開放状態での中シェルとシャッタの斜視図
【図１４】本発明のディスクカートリッジの中シェル係合部の斜視図
【図１５】本発明のディスクカートリッジの全構成部品の分解斜視図
【図１６】本発明のディスクカートリッジの図１のＡ−Ａ断面図
【図１７】本発明のディスクカートリッジの図１６のＢ部詳細拡大図
【図１８】従来のディスクカートリッジの主要部品分解斜視図
【図１９】従来のディスクカートリッジの密閉時の斜視図
【図２０】従来のディスクカートリッジの開放状態の斜視図
【符号の説明】
１　下シェル
２　上シェル
３　中シェル
４　シャッタ
５　光ディスク
６　ディスクカートリッジ
８　開口部
【図１】
2004086964.tif 000003
【図２】
2004086964.tif 000004
【図３】
2004086964.tif 000005
【図４】
2004086964.tif 000006
【図５】
2004086964.tif 000007
【図６】
2004086964.tif 000008
【図７】
2004086964.tif 000009
【図８】
2004086964.tif 000010
【図９】
2004086964.tif 000011
【図１０】
2004086964.tif 000012
【図１１】
2004086964.tif 000013
【図１２】
2004086964.tif 000014
【図１３】
2004086964.tif 000015
【図１４】
2004086964.tif 000016
【図１５】
2004086964.tif 000017
【図１６】
2004086964.tif 000018
【図１７】
2004086964.tif 000019
【図１８】
2004086964.tif 000020
【図１９】
2004086964.tif 000021
【図２０】
2004086964.tif 000022